(57)【要約】【課題】放送局から送出されるトランスポートストリームの選局情報を受け取る以前に取得したパケットを無駄に破棄することなく、受信開始から映像や音声の再生開始までの時間を短縮すること。【解決手段】放送局から受信した複数のパケットが多重化されたトランスポートストリーム（ＴＳ）を個別のパケットに分離する多重化分離部１０５と、トランスポートストリームの受信開始とともに多重化分離部１０５で分離した個別のパケットを記憶するストリーム記録メモリ１０６と、トランスポートストリームの受信を開始して選局情報を取得したらストリーム記録メモリ１０６に予め記憶してあるパケットのストリーム抽出を行うように多重化分離部１０５を制御する選局制御部１０４と、を具備する。【選択図】図１
2008042271.tif 000002
【特許請求の範囲】
【請求項１】
放送局から受信した複数のパケットが多重化されたトランスポートストリームを個別のパケットに分離する多重化分離手段と、
前記トランスポートストリームの受信開始とともに前記多重化分離手段で分離した個別のパケットを記憶するストリーム記録手段と、
前記トランスポートストリームの受信を開始して選局情報を取得したら前記ストリーム記録手段に予め記憶してあるパケットのストリーム抽出を行うように前記多重化分離手段を制御する選局制御手段と、
を具備するデジタル放送受信装置。
【請求項２】
前記放送局から送出される前記トランスポートストリームの所定のパケットを前記ストリーム記録手段に記憶する際に前記トランスポートストリームの不要なパケットを排除する不要パケット除去手段、
を具備する請求項１記載のデジタル放送受信装置。
【請求項３】
過去に選局して前記ストリーム記録手段に記憶したパケットのＰＩＤを選局チャンネル毎に分類して記憶するストリームＰＩＤテーブルを備え、
前記選局制御手段は、前記放送局から送出される選局情報を取得したときに、前記ストリームＰＩＤテーブルに予め記憶されている放送局及びストリームＰＩＤが取得した選局情報のものと一致したか否かを確認し、一致した場合に前記ストリーム記録手段に記憶されているパケットを出力するように前記ストリーム記録手段を制御する、請求項１又は請求項２記載のデジタル放送受信装置。
【請求項４】
放送局から受信した複数のパケットが多重化されたトランスポートストリームを個別のパケットに分離する多重化分離ステップと、
前記トランスポートストリームの受信開始とともに前記多重化分離ステップで分離した個別のパケットを記憶するストリーム記録ステップと、
前記トランスポートストリームの受信を開始して選局情報を取得したら前記ストリーム記録ステップで予め記憶したパケットのストリーム抽出を行うように前記多重化分離ステップの動作を制御する選局制御ステップと、
を具備するデジタル放送受信方法。
【発明の詳細な説明】
【技術分野】
【０００１】
本発明は、１つのチャンネルの帯域を複数に分割したうちの１つのセグメントに割り当てられたデータ放送サービスを受信可能な携帯電話機などのデジタル放送受信装置に関する。
【背景技術】
【０００２】
近年、テレビの視聴が可能な携帯電話機等の小型携帯端末が普及しつつある。この小型携帯端末においては、ユーザが移動中又は移動先でもテレビの電波を受信できれば場所に制約されることなくテレビを視聴することができる。
【０００３】
このような小型携帯端末に対して、地上波デジタル放送では、１つのチャンネルの帯域（６ＭＨｚ）を１３分割したうちの１つ（１セグメント）を割り当て、データ放送サービスが行われる予定である。このデータ放送サービスを部分受信放送という。
【０００４】
なお、１セグメントで送信される情報量は、非常に少なく、番組情報などは最大でも１０番組先の情報までしか含めることができない。
【０００５】
ちなみに、番組情報としては、ＰＳＩ（Program Specific Information）やＳＩ（Service Information）が知られている。ＰＳＩは、所望の番組を選択するために必要な情報である。また、ＳＩは番組選択の利便性のために規定された各種情報であり、番組名や放送局名などのＥＰＧ（Electronic Program Guide）に関連する情報である。
【０００６】
また、地上波デジタル放送では、放送局が映像、音声、その他の番組情報といった複数のデータを１本のストリームに多重化して送出している。
【０００７】
ストリームの多重化には、ＭＰＥＧのプロトコルであるＭＰＥＧ−２  ＴＳ（Transport Stream）が用いられる。
【０００８】
多重化されたトランスポートストリーム（ＴＳ）は、受信側のデジタル放送受信装置で分離され、多重化前のデータが取得される。以下、本明細書において単にＴＳと記載した場合は、放送局が送出する部分受信放送のデータ全てを意味するものとする。
【０００９】
このように、デジタル放送では、複数のデータを多重化することができるので、アナログ放送とは異なり、１つの周波数帯域でも複数のチャンネルを運用することができる。
【００１０】
なお、本明細書においては、混乱及び誤用を避けるため、チャンネルの概念について以下のように定義する。
【００１１】
チャンネルには、物理的なチャンネルと論理的なチャンネルがある。物理チャンネルは、アナログ放送でも用いられており、物理的な周波数の割り当てチャンネル（以下、「周波数チャンネル」という）である。
【００１２】
周波数チャンネルは、地上波デジタル放送において、１３ｃｈから６２ｃｈまでが割り当てられている。
【００１３】
一方、論理チャンネルは、周波数チャンネル内の複数の番組編成（以下、「サービス」という）を識別する論理的なチャンネルであり、サービスチャンネルという。このような周波数チャンネルとサービスチャンネルを総称してチャンネルという。
【００１４】
ところで、地上波デジタル放送を受信する１セグメント携帯端末等のデジタル放送受信装置においては、デジタル放送の規格上、アナログ放送に較べて選局に時間が掛かる。
【００１５】
従来、このようなデジタル放送の選局に掛かる時間を短縮するために、例えば、特許文献１及び特許文献２などの技術が提案されている。
【００１６】
特許文献１記載の「デジタル放送システムとその受信端末装置」においては、ＭＰＥＧ２デコード分離部において、番組を受信するのに必要なシステム情報の取得時に、このシステム情報をメモリに保持しておく。
【００１７】
そして、番組の選択又は切り替え時にメモリに保持されているシステム情報を参照して選択先又は切り替え先の番組のコンテンツデータを取得するようにしている。
【００１８】
これにより、この「デジタル放送システムとその受信端末装置」においては、番組選択時又は切り替え時に新たにシステム情報が伝送されるまで待つ必要がなくなり、短時間で番組の選択又は切り替えを実行することが可能になる。
【００１９】
また、特許文献２記載の「デジタル放送受信装置」においては、ストリームキャッシュ制御手段とストリームキャッシュメモリを設け、デジタル放送信号のパケット分離手段とは別に、デジタル放送信号の必要なパケットをストリームキャッシュメモリへ取得しておくようにしている。
【００２０】
そして、選局処理の過程で必要になった情報が、ストリームキャッシュメモリに既に保存されていれば、デジタル放送信号の受信待ちを行わずに、ストリームキャッシュメモリから選局情報を取得するようにしている。
【００２１】
これにより、この「デジタル放送受信装置」においては、パケット受信処理の効率を改善し、選局処理の高速化を図ることが可能になる。
【００２２】
ところで、デジタル放送受信装置では、多重化されたトランスポートストリーム（ＴＳ）の選局情報を取得することにより、ＴＳの多重化分離を開始して映像や音声の再生が行われる。
【００２３】
特許文献１及び特許文献２記載のようなフルセグメントのデジタル放送受信装置においては、伝送速度が高速であり、受信開始の直後にＴＳの選局情報を取得できるので、さほどタイムラグを感じることなく映像や音声を直ぐに再生することができる。
【００２４】
しかしながら、１セグメントのデジタル放送受信装置では、フルセグメントのデジタル放送受信装置の規格に較べてビットレートが低く、選局情報が例えば０．２ｓｅｃ間隔で送られてくる。
【００２５】
このため、１セグメントのデジタル放送受信装置においては、受信開始直後にＴＳの選局情報を取得できるとは限らず、受信開始から映像や音声の再生までに時間的なロスが生じる。
【００２６】
すなわち、放送局は、映像、音声、番組情報などを細切れのパケットにし、これらのパケットを多重化したトランスポートストリーム（ＴＳ）を放送波として送出している。
【００２７】
一方、放送波を受信したデジタル放送受信装置は、細切れの順不同のパケットに多重化された映像、音声、番組情報などからなるＴＳをＰＩＤ（パケットＩＤ）毎にＤＥＭＵＸ（多重化分離）して出力するようにしている。
【００２８】
このように、放送局から送出される放送波であるＴＳは、映像、音声、番組情報などが細切れの順不同のパケットに多重化されたデータで構成されている。このため、デジタル放送受信装置では、受信したＴＳを多重化される以前の個別のデータに分離する必要がある。
【００２９】
また、トランスポートストリーム（ＴＳ）は、例えば、１つの映像データが複数のパケットに分割され、音声などの他の分割されたデータとともに多重化されている。このため、デジタル放送受信装置では、元の映像を得るために、多重化分離したパケットデータを分割した順番に抽出し、デコードして並べ替える必要がある。
【００３０】
そこで、放送局は、データの種類ごとに抽出するための情報を記述した選局情報を所定の間隔（例えば、０．２ｓｅｃ）で配置したＴＳを放送波として送出している。
【００３１】
そして、デジタル放送受信装置は、放送局から送出されるＴＳの選局情報を受信することにより、多重化分離したパケットデータの配置を分割した順番に抽出し、デコードして並べ替えることが可能になり、元の映像を得ることができるようになる。
【特許文献１】特開２００４−１１２５０４号公報
【特許文献２】特開２００４−３１２６２９号公報
【発明の開示】
【発明が解決しようとする課題】
【００３２】
しかしながら、この種のデジタル放送受信装置においては、前述したように、放送局から送出されるＴＳの選局情報を、例えば、０．２ｓｅｃという所定の間隔でしか取得することができない。
【００３３】
このため、デジタル放送受信装置では、放送局から送出されるＴＳの受信を開始しても、ＴＳの選局情報を取得してからでないと映像や音声を再生することができない。
【００３４】
このように、従来のデジタル放送受信装置においては、受信したＴＳの選局情報を取得するまでは映像や音声の再生を待たなければならず、選局情報を受け取る以前に取得したパケットデータが無駄に破棄されてしまう。
【００３５】
また、デジタル放送受信装置では、１つのパケットを取得しただけでは映像や音声を再生することができず、少なくとも表示画面分の数量のパケットを取得しないと映像として表示することができない。
【００３６】
ちなみに、データのビットレートや送出パラメータによって異なるが、この種の一般的なデジタル放送受信装置では、音声を再生するために必要な数量のパケットを取得するには約１ｓｅｃ、映像を再生するために必要な数量のパケットを取得するには約１．５ｓｅｃの時間を要している。
【００３７】
このため、デジタル放送受信装置では、画像を再生する場合、再生開始の基準となるフレームの画像データを受信開始時に入手できなかった場合には、この基準となるフレームの画像データを次のタイミングで入手できるまでの間は、その動画の再生を開始することができない。
【００３８】
このように、従来のデジタル放送受信装置では、放送局から送出されるＴＳの受信開始から映像や音声の再生開始までに時間が掛かったり、選局情報を受け取る以前に取得したパケットが無駄に破棄されてしまったりするという課題があった。
【００３９】
本発明は、かかる点に鑑みてなされたもので、放送局から送出されるトランスポートストリームの選局情報を受け取る以前に取得したパケットを無駄に破棄することなく、受信開始から映像や音声の再生開始までの時間を短縮することができるデジタル放送受信装置を提供することを目的とする。
【課題を解決するための手段】
【００４０】
かかる課題を解決するため、本発明のデジタル放送受信装置は、放送局から受信した複数のパケットが多重化されたトランスポートストリームを個別のパケットに分離する多重化分離手段と、前記トランスポートストリームの受信開始ととともに前記多重化分離手段で分離した個別のパケットを記憶するストリーム記録手段と、前記トランスポートストリームの受信を開始して選局情報を取得したら前記ストリーム記録手段に予め記憶してあるパケットのストリーム抽出を行うように前記多重化分離手段を制御する選局制御手段と、を具備する構成を採る。
【発明の効果】
【００４１】
本発明によれば、放送局から送出されるトランスポートストリームの選局情報を受け取る以前に取得したパケットを無駄に破棄することなく、受信開始から映像や音声の再生開始までの時間を短縮することができる。
【発明を実施するための最良の形態】
【００４２】
以下、本発明の実施の形態について、図面を参照して詳細に説明する。なお、各図において同一の構成または機能を有する構成要素及び相当部分には、同一の符号を付してその説明は繰り返さない。
【００４３】
（実施の形態１）
図１は、本発明の実施の形態１に係るデジタル放送受信装置の構成を示すブロック図である。
【００４４】
図１に示すように、本例のデジタル放送受信装置である携帯電話機１００は、アンテナ１０１、フロントエンド部１０２、入力部１０３、選局制御部１０４、多重化分離部１０５、ストリーム記録メモリ１０６、映像デコーダ１０７、提示処理部１０８、映像出力部１０９、音声デコーダ１１０、音声出力部１１１を備えている。
【００４５】
図１において、アンテナ１０１は、放送局から送出される放送波を受信し、フロントエンド部１０２に送る。
【００４６】
フロントエンド部１０２は、チューナ部、復調部、誤り訂正部を備える。チューナ部は、アンテナ１０１を介して受信した放送波からユーザによって指定されたチャンネルの周波数信号を抽出する。復調部は、チューナ部が抽出した周波数信号の符号復調処理を行い、放送波をＴＳに復調する。誤り訂正部は、復調部において復号される符号の誤りを訂正する。
【００４７】
入力部１０３は、ユーザが視聴するチャンネルなどを入力するための入力ボタンを備える。入力部１０３の入力ボタンによってユーザが入力した内容は、選局要求情報などに変換されて選局制御部１０４に出力される。
【００４８】
選局制御部１０４は、ユーザにより指定された周波数チャンネルをフロントエンド部１０２のチューナ部に設定する。ここで、チューナ部に設定した周波数チャンネルに受信可能な放送波がある場合は、周波数チャンネル選局の成功とし、チューナ部から多重化分離部１０５へトランスポートストリーム（ＴＳ）をそのまま出力する。
【００４９】
また、選局制御部１０４は、多重化分離部１０５で分離されたデータの解析を行い、解析により得られるトランスポートストリームのサービス構成を基に、ＴＳ内の指定サービスの映像、音声などのストリームを抽出するように多重化分離部１０５を設定する。
【００５０】
選局制御部１０４は、入力部１０３によりユーザが指定したチャンネルの周波数信号を抽出するようにフロントエンド部１０２のチューナ部を指示する。
【００５１】
また、選局制御部１０４は、選局情報を取得する以前の多重化分離部１０５で分離した映像、音声、番組情報などのパケットデータをストリーム記録メモリ１０６に蓄積するように多重化分離部１０５を制御する。
【００５２】
多重化分離部１０５は、フロントエンド部１０２のチューナ部から出力された信号を映像、音声、番組情報などのパケットに分離する。このように、多重化分離部１０５及びフロントエンド部１０２のチューナ部は、放送局から送出される放送波であるトランスポートストリーム（ＴＳ）の受信手段として機能する。
【００５３】
ストリーム記録メモリ１０６は、選局制御部１０４の指示により選局情報を取得する以前の多重化分離部１０５で分離した映像、音声、番組情報などのパケットを記憶する。
【００５４】
映像デコーダ１０７は、多重化分離部１０５で分離された映像のパケットデータを映像信号に変換する。例えば、映像デコーダ１０７は、多重化分離部１０５から出力される高度動画像圧縮方式であるＨ．２６４（正式には、H.264/AVC(Advanced Video Coding)）などで符号化された映像ストリームを復号し、復号した信号を提示処理部１０８に出力する。
【００５５】
提示処理部１０８は、映像デコーダ１０７から出力される映像信号の場所をＰＩＤ（パケットＩＤ）の順番に従って移動する処理を行う。
【００５６】
映像出力部１０９は、映像デコーダ１０７で復号されて提示処理部１０８から出力される映像信号の映像を液晶パネルなどからなる表示部に表示する。
【００５７】
音声デコーダ１１０は、多重化分離部１０５で分離された音声のパケットデータを音声信号に変換する。例えば、音声デコーダ１１０は、多重化分離部１０５から出力されるＡＡＣ（Advanced Audio Coding）などで符号化された音声ストリームを復号し、復号した信号を音声出力部１１１に出力する。
【００５８】
音声出力部１１１は、音声デコーダ１１０で複合化された音声ストリームをスピーカなどにより音声として出力する。
【００５９】
ところで、放送局は、図２に示すように、映像、音声、番組情報などのデータを細切れのパケットにし、これらのパケットを多重化したトランスポートストリーム（ＴＳ）を放送波として送出している。
【００６０】
そして、このように細切れのパケットに多重化されたトランスポートストリーム（ＴＳ）は、携帯電話機１００の多重化分離部１０５において、映像、音声、番組情報などのＰＩＤ（パケットＩＤ）毎のパケットにＤＥＭＵＸ（多重化分離）される。
【００６１】
ところが、トランスポートストリーム（ＴＳ）は、前述したように、１つの映像データが複数のパケットに分割して多重化されているため、元の映像を得るためには多重化分離したパケットデータを映像再生可能なフレームの単位まで取得する必要がある。
【００６２】
トランスポートストリーム（ＴＳ）には、分離したパケットの種類を記述した選局情報が、例えば、０．２ｓｅｃ間隔で配置されている。
【００６３】
そして、携帯電話機１００は、図３に示すように、トランスポートストリーム（ＴＳ）の選局情報のＰＩＤを取得することにより、受信したパケットデータのデコードを開始し、元の映像を得るようにしている。
【００６４】
しかしながら、トランスポートストリーム（ＴＳ）の選局情報のＰＩＤは、０．２ｓｅｃ間隔でしか取得することができないため、この種の携帯電話機１００ではトランスポートストリーム（ＴＳ）の受信を開始しても選局情報のＰＩＤを取得してからでないと映像や音声を再生することができない。
【００６５】
従って、この種の携帯電話機１００では、受信したＴＳの選局情報のＰＩＤを取得するまでは映像や音声の再生を待たなければならず、図３に示す選局情報を受け取る以前に取得したパケットデータが無駄に破棄されてしまう。
【００６６】
また、この種の携帯電話機１００では、前述したように、１つのパケットを取得しただけでは映像や音声を再生することができず、少なくとも表示画面分の数量のパケットデータを取得しないと映像として表示することができない。
【００６７】
このため、この種の携帯電話機１００では、受信開始時にパケットの再生開始の基準となるフレームの画像データを入手できなかった場合には、この再生開始の基準となるフレームの画像データを次のタイミングで入手できるまでの間は、その画像を再生することができない。
【００６８】
そこで、本例の携帯電話機１００においては、トランスポートストリーム（ＴＳ）の選局情報のＰＩＤを取得する以前に受信したパケット、つまり図３に示す破棄データを、多重化分離部１０５で予め多重化分離してストリーム記録メモリ１０６に記憶（蓄積）しておくようにする。
【００６９】
ストリーム記録メモリ１０６は、少なくともトランスポートストリーム（ＴＳ）の選局情報のＰＩＤを取得できるまでの間に受信したパケット、つまり選局情報間のパケットを保存できるだけの記憶容量を有している。
【００７０】
そして、本例の携帯電話機１００では、受信開始後、トランスポートストリーム（ＴＳ）の選局情報のＰＩＤを取得したら、ストリーム記録メモリ１０６に予め蓄積してあるパケットのデコードを開始してストリーム抽出を行う。
【００７１】
これにより、本例の携帯電話機１００では、受信を開始した直後から直ちにストリーム記録メモリ１０６に蓄積したパケットの映像や音声の再生が可能になり、受信開始から選局再生までのタイムロスを低減することができる。
【００７２】
なお、ストリーム記録メモリ１０６に蓄積したパケットは、デコードされてストリーム抽出されることによりストリーム記録メモリ１０６から順次削除される。
【００７３】
本例の携帯電話機１００の選局制御部１０４は、上述のようなプログラムに従って動作するように構成されている。
【００７４】
次に、図４を参照して、本例の携帯電話機１００における選局制御部１０４の動作の一例について説明する。図４は、本発明の実施の形態１に係るデジタル放送受信装置の動作を示すフローチャートである。
【００７５】
図４において、選局制御部１０４の動作が開始すると、まずフロントエンド部１０２のチューナ部にＲＦ（無線）周波数を設定して、受信したいチャンネルの放送波を取り始める（ステップＳＴ４０１）。
【００７６】
次いで、受信したいチャンネルの放送波及びトランスポートストリーム（ＴＳ）が見つかったか否かを判断する（ステップＳＴ４０２）。
【００７７】
ステップＳＴ４０２において、受信したいチャンネルの放送波及びトランスポートストリーム（ＴＳ）が見つかったと判断した場合には、多重化分離部１０５でチューナ部から出力された信号を映像、音声、番組情報などのパケットに分離し、選局情報を取得する以前の多重化分離部１０５で分離した映像、音声、番組情報などのパケットをストリーム記録メモリ１０６に記録して、放送波データの蓄積を開始する（ステップＳＴ４０３）。
【００７８】
次いで、論理チャンネル選局を行って、選局情報から実際のＰＩＤを割り当ててストリーム記録メモリ１０６に記録した映像及び音声などを再生できる状態にする（ステップＳＴ４０４）。
【００７９】
この状態で、受信しているトランスポートストリーム（ＴＳ）の選局情報のＰＩＤの取得を待ち、選局情報の有無を判断する（ステップＳＴ４０５）。
【００８０】
そして、ステップＳＴ４０５において、選局情報ありと判断した場合には、多重化分離部１０５により受信したトランスポートストリーム（ＴＳ）の抽出を開始して、分離した映像、音声、番組情報などのパケットを番号順に先頭から出力する（ステップＳＴ４０６）。
【００８１】
次いで、映像デコーダ１０７及び音声デコーダ１１０により、多重化分離部１０５で分離されて番号順に先頭から出力される映像及び音声のデコードを開始する（ステップＳＴ４０７）。
【００８２】
そして、映像デコーダ１０７及び音声デコーダ１１０によりデコードされた映像及び音声が映像出力部１０９及び音声出力部１１１により出力されたら、ストリーム記録メモリ１０６に記録しておいた放送波データ、つまり選局情報を取得する以前の多重化分離部１０５で分離した映像、音声、番組情報などのパケットの、ストリーム記録メモリ１０６からの削除を開始し（ステップＳＴ４０８）、選局制御部１０４の動作を終了する。
【００８３】
なお、ステップＳＴ４０５において、選局情報なしと判断した場合には、それまでに取得した放送波データを全て削除し（ステップＳＴ４０９）、例えば、「放送休止中」又は「受信できません」などの表示を行って（ステップＳＴ４１０）、選局制御部１０４の動作を終了する。
【００８４】
同様に、ステップＳＴ４０２において、受信したいチャンネルの放送波及びトランスポートストリーム（ＴＳ）が見つからなかったと判断した場合にも、「放送休止中」又は「受信できません」などの表示を行って（ステップＳＴ４１０）、選局制御部１０４の動作を終了する。
【００８５】
これにより、本例の携帯電話機１００では、図５に示すように、選局開始と同時に、放送局から送出されるトランスポートストリーム（ＴＳ）の選局情報のＰＩＤを受け取る以前に取得したパケットを無駄に破棄することなくデコードを開始して、ストリーム記録メモリ１０６に記憶しておくことができる。
【００８６】
そして、本例の携帯電話機１００では、受信開始から選局情報のＰＩＤを取得するまでの間は、ストリーム記録メモリ１０６に記録しておいた映像や音声をＤＥＭＵＸ（多重化分離）して再生することができるので、受信開始から映像や音声の再生開始までの時間を短縮することができる。
【００８７】
（実施の形態２）
次に、本発明の実施の形態２に係るデジタル放送受信装置について説明する。図６は、本発明の実施の形態２に係るデジタル放送受信装置の構成を示すブロック図である。図７は、本発明の実施の形態２に係るデジタル放送受信装置の選局開始時におけるトランスポートストリームのデータの流れを示す図である。
【００８８】
図６に示すように、本例のデジタル放送受信装置としての携帯電話機２００は、フロントエンド部１０２と多重化分離部１０５との間にフィルタ２０１を設けて、ストリーム記録メモリ１０６に蓄積するパケット量をできるだけ少なくするようにしたものである。
【００８９】
すなわち、本例の携帯電話機２００は、放送局から送出されるトランスポートストリーム（ＴＳ）の各パケットのうちの不要なパケットを、フィルタ２０１でフィルタリングしてストリーム記録メモリ１０６に取り込まないようにしている。
【００９０】
ここで、携帯電話機２００では使用することがない不要なパケットとは、例えば、放送局から送られてくるＮＵＬＬなどの誰も使用しないパケット、及び端末が使用しない放送局情報や、番組情報などである。
【００９１】
本例の携帯電話機２００においては、図６及び図７に示すように、アンテナ１０１及びフロントエンド部１０２のチューナ部で受信されたトランスポートストリーム（ＴＳ）のうち、ＮＵＬＬや番組情報などの不要なパケットがフィルタ２０１によりフィルタリングされる。
【００９２】
これにより、ストリーム記録メモリ１０６には、本例の携帯電話機２００のテレビ放送の視聴に必要な映像データや音声データなどのパケットのみが蓄積される。
【００９３】
従って、本例の携帯電話機２００においては、ストリーム記録メモリ１０６に取り込むパケット量を少なくでき、ストリーム記録メモリ１０６のバッファ容量を小さくすることができる。
【００９４】
（実施の形態３）
次に、本発明の実施の形態３に係るデジタル放送受信装置について説明する。図８は、本発明の実施の形態３に係るデジタル放送受信装置の構成を示すブロック図である。
【００９５】
図８に示すように、本例のデジタル放送受信装置としての携帯電話機３００は、実施の形態２に係る携帯電話機２００の構成に加えて、ストリームＰＩＤ記憶部３０１を備えている。
【００９６】
図９及び図１１に示すように、ストリームＰＩＤ記憶部３０１は、過去に選局してストリーム記録メモリ１０６に蓄積したパケットのＰＩＤを選局チャンネル毎に分類して記憶するストリームＰＩＤテーブル３０２を備えている。
【００９７】
本例の携帯電話機３００は、例えば、図９に示すように、周波数２５チャンネル（物理ｃｈ）で前回選局した情報であるパケットのＰＩＤ、つまり２５ｃｈの映像や音声の識別番号を示すＰＩＤをストリームＰＩＤテーブル３０２に予め記憶しておくことができる。
【００９８】
これにより、本例の携帯電話機３００は、放送局から送出される選局情報を取得したときに、ストリームＰＩＤテーブル３０２に予め記憶されている放送局及びストリームＰＩＤが取得した選局情報のものと一致したか否かを確認し、一致した場合にストリーム記録メモリ１０６に記憶されているパケットを出力して映像及び音声を再生することが可能になる。つまり、本例の携帯電話機３００においては、前回の選局時の情報を利用して、ストリームの可能性の高いパケット（データ）のみをストリーム記録メモリ１０６に記憶させることができる。
【００９９】
なお、ストリームＰＩＤテーブル３０２に予め記憶されている放送局及びストリームＰＩＤが取得した選局情報のストリームＰＩＤと一致しない場合には、ストリームＰＩＤテーブル３０２を更新するようになっている。
【０１００】
また、取得した選局情報と放送局が一致しない場合には、新規にストリームＰＩＤテーブル３０２を作成するようになっている。
【０１０１】
このように、本例の携帯電話機３００は、選局時に取得した、例えば、２５ｃｈ、２６ｃｈ、・・・のそれぞれのＰＩＤを、ストリームＰＩＤ記憶部３０１のストリームＰＩＤテーブル３０２に随時記憶しておくことができるようになっている。
【０１０２】
なお、トランスポートストリーム（ＴＳ）のＰＩＤは、放送局側で自由に変更できる情報である。そこで、本例の携帯電話機３００においては、放送局側で変更されたＰＩＤを随時更新するようになっている。
【０１０３】
図９において、ストリームＰＩＤテーブル３０２のｎｅｔｗｏｒｋ＿ｉｄは、放送局毎に割り当てられている放送局毎で異なったＰＩＤである。
【０１０４】
また、ｓｅｒｖｉｃｅ＿ｉｄは、放送局毎で異なった番組に付けられるＰＩＤである。
【０１０５】
これらのｎｅｔｗｏｒｋ＿ｉｄ及びｓｅｒｖｉｃｅ＿ｉｄとＰＣＲ＿ＰＩＤとは、放送局を判別するためのＰＩＤである。
【０１０６】
次に、図１０を参照して、本例の携帯電話機３００における選局制御部１０４の動作の一例について説明する。図１０は、本発明の実施の形態３に係るデジタル放送受信装置の動作を示すフローチャートである。
【０１０７】
図１０において、選局制御部１０４の動作が開始すると、まずフロントエンド部１０２のチューナ部にＲＦ（無線）周波数を設定して、受信したいチャンネルの放送波を取り始める（ステップＳＴ１００１）。
【０１０８】
次いで、受信したいチャンネルの放送波及びトランスポートストリーム（ＴＳ）が見つかったか否かを判断する（ステップＳＴ１００２）。
【０１０９】
ステップＳＴ１００２において、受信したいチャンネルの放送波及びトランスポートストリーム（ＴＳ）が見つかったと判断した場合には、多重化分離部１０５でチューナ部から出力された信号を映像、音声、番組情報などのパケットに分離し、選局情報を取得する以前の多重化分離部１０５で分離した映像、音声、番組情報などのパケットをストリーム記録メモリ１０６に記録して、放送波データの蓄積を開始する（ステップＳＴ１００３）。
【０１１０】
次いで、論理チャンネル選局を行って、選局情報から実際のＰＩＤを割り当ててストリーム記録メモリ１０６に記録した映像及び音声などを再生できる状態にする（ステップＳＴ１００４）。
【０１１１】
この状態で、受信しているトランスポートストリーム（ＴＳ）の選局情報のＰＩＤの取得を待ち、選局情報の有無を判断する（ステップＳＴ１００５）。
【０１１２】
そして、ステップＳＴ１００５において、選局情報ありと判断した場合には、ストリームＰＩＤ記憶部３０１のストリームＰＩＤテーブル３０２に記憶されている放送局と、受信している放送局とが一致しているか否かを判断する（ステップＳＴ１００６）。
【０１１３】
ステップＳＴ１００６において、ストリームＰＩＤテーブル３０２に記憶されている放送局と、受信している放送局とが一致していると判断した場合には、ストリームＰＩＤテーブル３０２に記憶されているストリームＰＩＤと、受信しているトランスポートストリーム（ＴＳ）のストリームＰＩＤとが一致しているか否か判断する（ステップＳＴ１００７）。
【０１１４】
そして、ステップＳＴ１００７において、ストリームＰＩＤテーブル３０２に記憶されているストリームＰＩＤと、受信しているトランスポートストリーム（ＴＳ）のストリームＰＩＤとが一致していると判断した場合には、多重化分離部１０５により受信したトランスポートストリーム（ＴＳ）の抽出を開始して、分離した映像、音声、番組情報などのパケットを番号順に先頭から出力する（ステップＳＴ１００８）。
【０１１５】
なお、ステップＳＴ１００６において、ストリームＰＩＤテーブル３０２に記憶されている放送局と、受信している放送局とが一致していないと判断した場合には、ストリームＰＩＤ記憶部３０１に新規のストリームＰＩＤテーブル３０２を作成し（ステップＳＴ１００９）、その後ステップＳＴ１００８のストリーム抽出を開始する。
【０１１６】
また、ステップＳＴ１００７において、ストリームＰＩＤテーブル３０２に記憶されているストリームＰＩＤと、受信しているトランスポートストリーム（ＴＳ）のストリームＰＩＤとが一致していないと判断した場合には、ストリームＰＩＤ記憶部３０１のストリームＰＩＤテーブル３０２を更新し（ステップＳＴ１０１０）、その後ステップＳＴ１００８のストリーム抽出を開始する。
【０１１７】
次いで、映像デコーダ１０７及び音声デコーダ１１０により、多重化分離部１０５で分離されて出力される映像及び音声のデコードを開始する（ステップＳＴ１０１１）。
【０１１８】
そして、映像デコーダ１０７及び音声デコーダ１１０によりデコードされた映像及び音声が映像出力部１０９及び音声出力部１１１により出力されたら、ストリーム記録メモリ１０６に記録しておいた放送波データ、つまり選局情報を取得する以前の多重化分離部１０５で分離した映像、音声、番組情報などのパケットの、ストリーム記録メモリ１０６からの削除を開始し（ステップＳＴ１０１２）、選局制御部１０４の動作を終了する。
【０１１９】
なお、ステップＳＴ１００５において、選局情報なしと判断した場合には、それまでに取得した放送波データを全て削除し（ステップＳＴ１０１３）、例えば、「放送休止中」又は「受信できません」などの表示を行って（ステップＳＴ１０１４）、選局制御部１０４の動作を終了する。
【０１２０】
同様に、ステップＳＴ１００２において、受信したいチャンネルの放送波及びトランスポートストリーム（ＴＳ）が見つからなかったと判断した場合にも、「放送休止中」又は「受信できません」などの表示を行って（ステップＳＴ１０１４）、選局制御部１０４の動作を終了する。
【０１２１】
これにより、本例の携帯電話機３００では、図１１に示すように、選局開始と同時に、ストリームＰＩＤ記憶部３０１のストリームＰＩＤテーブル３０２を参照することで、放送局から送出されるトランスポートストリーム（ＴＳ）の選局情報のＰＩＤを受け取る以前に取得したパケットを、無駄に破棄したり、二重に取り込んだりすることなくデコードを開始することができる。
【０１２２】
このように、本例の携帯電話機３００では、受信開始から選局情報のＰＩＤを取得するまでの間は、ストリームＰＩＤテーブル３０２を参照してストリーム記録メモリ１０６に記録した映像や音声をＤＥＭＵＸ（多重化分離）して再生することができるので、受信開始から映像や音声の再生開始までの時間をさらに短縮することができる。
【産業上の利用可能性】
【０１２３】
本発明に係るデジタル放送受信装置は、放送局から送出されるトランスポートストリームの選局情報を受け取る以前に取得したパケットを無駄に破棄することなく、受信開始から映像や音声の再生開始までの時間を短縮することができるので、１つのチャンネルの帯域を複数に分割したうちの１つのセグメントに割り当てられたデータ放送サービスを受信可能な携帯電話機などのデジタル放送受信装置として有用である。
【図面の簡単な説明】
【０１２４】
【図１】本発明の実施の形態１に係るデジタル放送受信装置の構成を示すブロック図
【図２】放送局から送出される複数のデータを多重化したトランスポートストリームが受信側で多重化分離されて多重化前のデータに分離される過程を示す図
【図３】受信側の選局開始時におけるトランスポートストリームのデータの流れを示す図
【図４】本発明の実施の形態１に係るデジタル放送受信装置の動作を示すフローチャート
【図５】本発明の実施の形態１に係るデジタル放送受信装置の選局開始時におけるトランスポートストリームのデータの流れを示す図
【図６】本発明の実施の形態２に係るデジタル放送受信装置の構成を示すブロック図
【図７】本発明の実施の形態２に係るデジタル放送受信装置の選局開始時におけるトランスポートストリームのデータの流れを示す図
【図８】本発明の実施の形態３に係るデジタル放送受信装置の構成を示すブロック図
【図９】本発明の実施の形態３に係るデジタル放送受信装置のストリームＰＩＤ記憶部に格納されているストリームＰＩＤテーブルの一例を示す図
【図１０】本発明の実施の形態３に係るデジタル放送受信装置の動作を示すフローチャート
【図１１】本発明の実施の形態３に係るデジタル放送受信装置の選局開始時におけるトランスポートストリームのデータの流れを示す図
【符号の説明】
【０１２５】
１００，２００，３００  携帯電話機
１０１  アンテナ
１０２  フロントエンド部
１０３  入力部
１０４  選局制御部
１０５  多重化分離部
１０６  ストリーム記録メモリ
１０７  映像デコーダ
１０８  提示処理部
１０９  映像出力部
１１０  音声デコーダ
１１１  音声出力部
２０１  フィルタ
３０１  ストリームＰＩＤ記憶部
３０２  ストリームＰＩＤテーブル
【図１】
2008042271.tif 000003
【図２】
2008042271.tif 000004
【図３】
2008042271.tif 000005
【図４】
2008042271.tif 000006
【図５】
2008042271.tif 000007
【図６】
2008042271.tif 000008
【図７】
2008042271.tif 000009
【図８】
2008042271.tif 000010
【図９】
2008042271.tif 000011
【図１０】
2008042271.tif 000012
【図１１】
2008042271.tif 000013